(57)【要約】【課題】転送処理負荷を挙げることなく再生速度を向上する。【解決手段】磁気ディスク装置は、磁気再生ヘッドを複数有し、磁気再生ヘッド各々が、磁気再生ヘッドにて検出される出力値各々を合計した値である出力値和が各磁気再生ヘッドの検出対象となるビット情報の組み合わせパターンごとに異なる値となるように予め形成される。また、磁気ディスク装置は、ビット情報の組み合わせパターンごとに検出されるべき出力値和を予め記憶する。また、磁気ディスク装置は、検出した出力値和を検索キーとして記憶部を検索し、出力値和に対応付けて記憶されたビット情報の組み合わせパターンを記録媒体に記録されたビット情報として再生する。【選択図】図１
2010192048.tif 000002
【特許請求の範囲】
【請求項１】
記録媒体に記録されたビット情報に応じて所定の出力値が検出される磁気再生ヘッドを複数有し、磁気再生ヘッドにて検出される出力値各々を合計した値である出力値和が各磁気再生ヘッドの検出対象となるビット情報の組み合わせパターンごとに異なる値となるように予め形成された磁気再生ヘッド部と、
前記ビット情報の組み合わせパターンごとに、前記磁気再生ヘッド部から検出されるべき出力値和を予め記憶する記憶部と、
前記磁気再生ヘッド部にて検出される前記出力値和を検索キーとして前記記憶部を検索し、当該出力値和に対応付けて記憶された前記ビット情報の組み合わせパターンを前記記録媒体に記録されたビット情報として再生する再生部と、
を備えたことを特徴とする磁気ディスク装置。
【請求項２】
前記複数の磁気再生ヘッド各々は、ビット情報の組み合わせパターンごとに出力値和が異なる値となるように、電気抵抗および／または磁化容易軸が調整されることを特徴とする請求項１に記載の磁気ディスク装置。
【発明の詳細な説明】
【技術分野】
【０００１】
本発明は、磁気ディスク装置に関する。
【背景技術】
【０００２】
近年、記録媒体の高密度化に伴い、ブロードバンド社会では膨大なデータを高速に再生する必要がある。ここで、従来より、磁気ディスク装置では、再生速度を向上させる技術に関して、様々な技術が知られている。例えば、記憶媒体の回転速度を増加させる技術や、再生ヘッドを複数用いる技術などが知られている。
【０００３】
なお、再生速度を向上させる技術以外にも、磁気ディスク装置に関して、再生ヘッドの位置のズレを検知し、再生ヘッドの位置を制御する技術が知られている。また、その他に、記録時に、一対の磁気ヘッドが二つのトラックに同一信号を記録し、再生時に、再生ヘッドが二つのトラックから同一信号を読み出す技術が知られている。
【先行技術文献】
【特許文献】
【０００４】
【特許文献１】特開平０６−２５９７１０号公報
【特許文献２】特開２００３−１５７６３１号公報
【特許文献３】特開昭５６−０２９８１０号公報
【発明の概要】
【発明が解決しようとする課題】
【０００５】
しかしながら、上記した従来の技術では、再生速度を適切に向上できないという課題があった。例えば、上記した記憶媒体の回転数を増加させる技術では、回転数を上げる程、より高精度な再生ヘッドの位置決めを要し、消費電力やノイズが増加していた。また、例えば、上記した複数の再生ヘッドを用いる技術では、再生ヘッドの数が増加するごとに、再生ヘッドから制御部にデータを転送する転送処理負荷が増加し、例えば、再生ヘッドの数が２倍になると、転送処理負荷も２倍になっていた。
【０００６】
開示の技術は、上記に鑑みてなされたものであって、再生速度を適切に向上可能である磁気ディスク装置を提供することを目的とする。
【課題を解決するための手段】
【０００７】
本願の開示する磁気ディスク装置は、一つの態様において、記録媒体に記録されたビット情報に応じて所定の出力値が検出される磁気再生ヘッドを複数有し、磁気再生ヘッドにて検出される出力値各々を合計した値である出力値和が各磁気再生ヘッドの検出対象となるビット情報の組み合わせパターンごとに異なる値となるように予め形成された磁気再生ヘッド部を備える。また、磁気ディスク装置は、前記ビット情報の組み合わせパターンごとに、前記磁気再生ヘッド部から検出されるべき出力値和を予め記憶する記憶部を備える。また、磁気ディスク装置は、前記磁気再生ヘッド部にて検出される前記出力値和を検索キーとして前記記憶部を検索し、当該出力値和に対応付けて記憶された前記ビット情報の組み合わせパターンを前記記録媒体に記録されたビット情報として再生する再生部を備える。
【発明の効果】
【０００８】
本願の開示する磁気ディスク装置の一つの態様によれば、再生速度を適切に向上可能であるという効果を奏する。
【図面の簡単な説明】
【０００９】
【図１】図１は、実施例１に係る磁気ディスク装置の概要を説明するための図である。
【図２】図２は、実施例１に係る磁気ディスク装置の構成を説明するためのブロック図である。
【図３】図３は、実施例１における磁気再生ヘッド部の概略を説明するための図である。
【図４】図４は、実施例１における磁気再生ヘッド部の構造の一例を説明するための図である。
【図５】図５は、実施例１における磁気再生ヘッド各々の接続関係について説明するための図である。
【図６】図６は、実施例１におけるビット情報の組み合わせパターンごとに出力値和が異なるように調整する点について説明するための図である。
【図７】図７は、実施例１における再生対象となるトラック各々のビット情報を説明するための図である。
【図８】図８は、実施例１における磁気再生ヘッド部から出力される出力値和を説明するための図である。
【図９】図９は、実施例１における磁気再生ヘッド部から出力される出力値和を説明するための図である。
【図１０】図１０は、実施例１における磁気再生ヘッド部から出力される出力値和を説明するための図である。
【図１１】図１１は、実施例１における磁気再生ヘッド部の製造工程を説明するためのフローチャートである。
【図１２】図１２は、実施例２における磁気再生ヘッド部の構造の一例を説明するための図である。
【発明を実施するための形態】
【００１０】
以下に、本願の開示する磁気ディスク装置の実施例を図面に基づいて詳細に説明する。なお、この実施例によりこの発明が限定されるものではない。
【実施例１】
【００１１】
［磁気ディスク装置の概要］
まず最初に、図１を用いて、実施例１に係る磁気ディスク装置の概要を説明する。図１は、実施例１に係る磁気ディスク装置の概要を説明するための図である。
【００１２】
図１に示すように、実施例１に係る磁気ディスク装置は、記録媒体１００と、磁気再生ヘッド部２００と、記憶部３０１と、再生部３０２とを備える。また、磁気再生ヘッド部２００は、記録媒体１００に記録されたビット情報に応じて所定の出力値が検出される磁気再生ヘッド２１０を複数有する。
【００１３】
図１に示す例では、実施例１における磁気再生ヘッド部２００は、二つの磁気再生ヘッド２１０を有し、例えば、磁気再生ヘッド「Ａ」と磁気再生ヘッド「Ｂ」とを有する。なお、以下では、特に言及しない限り、磁気再生ヘッド「Ａ」が記録媒体１００上のトラック１を再生対象とし、磁気再生ヘッド「Ｂ」が記録媒体１００上のトラック２を再生対象とする場合を例に説明する。
【００１４】
また、実施例１における磁気再生ヘッド部２００は、出力値和が、各磁気再生ヘッド２１０各々の検出対象となるビット情報の組み合わせパターンごとに出力値和が異なる値となるように予め形成される。ここで、出力値和とは、磁気再生ヘッド２１０にてそれぞれ再生時に検出される出力値を合計した値であり、実施例１では、磁気再生ヘッド「Ａ」で検出される出直値と磁気再生ヘッド「Ｂ」で検出される出力値の合計値になる。
【００１５】
例えば、磁気再生ヘッド「Ａ」は、ビット情報「１」か「−１」を検出し、また、磁気再生ヘッド「Ｂ」が、ビット情報「１」か「−１」を検出する。この結果、磁気再生ヘッド部２００にて検出されるビット情報の組み合わせパターンは４種類あり、磁気再生ヘッド部２００は、４種類ある組み合わせパターンごとに異なる出力値和が検出されるように予め形成される。
【００１６】
また、実施例１に係る磁気ディスク装置では、記憶部３０１は、組み合わせパターンごとに、磁気再生ヘッド部２００から検出されるべき出力値和を予め記憶する。例えば、記憶部３０１は、組み合わせパターン「１、−１」に対応付けて、出力値和「５０」を記憶する。
【００１７】
そして、図１の（１）や（２）に示すように、磁気ディスク装置では、ビット情報を再生する場合に、再生部３０２が、磁気再生ヘッド部２００にて検出される出力値和を検索キーとして記憶部３０１を検索する。そして、再生部３０２は、出力値和に対応付けて記憶された組み合わせパターンを記録媒体１００に記録されたビット情報として再生する。例えば、図１の（１）に示すように、出力値和が「５０」である場合には、図１の（２）に示すように、再生部３０２は、トラック１のビット情報が「１」であり、トラック２のビット情報が「−１」であると再生する。
【００１８】
このようなことから、実施例１に係る磁気ディスク装置は、再生速度を適切に向上可能である。例えば、実施例１によれば、磁気再生ヘッド２１０が２個あったとしても、出力値和のみを転送することでビット情報を再生できる。この結果、実施例１によれば、磁気再生ヘッド部２００からデータを転送する転送処理負荷を２倍にすることなく、磁気再生ヘッド２１０が１個の場合と同じ転送処理負荷にてビット情報を再生できる。つまり、実施例１によれば、磁気再生ヘッド２１０の数を増やしたとしても、転送処理負荷を増やすことなくビット情報を再生でき、つまり、転送処理負荷を増加させることなく再生速度を向上可能である。
【００１９】
［磁気ディスク装置の構成］
次に、図２を用いて、図１に示した磁気ディスク装置の構成を説明する。図２は、実施例１に係る磁気ディスク装置の構成を説明するためのブロック図である。図２に示すように、磁気ディスク装置は、特に、記録媒体１００と、磁気再生ヘッド部２００と、ＭＣＵ３００とを有する。磁気ディスク装置は、一般的な磁気ディスク装置が備える各部を備えるが、図１には、説明の便宜上、キャリッジアーム１０１とアクチュエータ１０２とＨＤＩＣ１０３とのみを併せて示した。
【００２０】
記録媒体１００は、ビット情報を記録する媒体であり、具体的には、ディスク表面に磁性体を塗った記憶媒体である磁気ディスクが該当する。また、記録媒体１００は、表面の磁界の向きが「Ｎ極」か「Ｓ極」かに制御されることで、「１」か「−１」かに対応するビット情報を記録する。また、記録媒体１００に記録されたビット情報は、磁気再生ヘッド部２００によって読み出される。
【００２１】
なお、以下では、特に言及しない限り、Ｎ極が「−１」、Ｓ極が「１」に対応するものとして説明する。なお、記録媒体１００は、パターンドメディア（パターンド媒体とも称する）であってもよく、パターンドメディアでなくてもよい。なお、パターンドメディアとは、記録媒体１００上に、一定の間隔を置いて、磁性粒子が人工的に規則正しく並べられた記録媒体のことである。
【００２２】
キャリッジアーム１０１とアクチュエータ１０２とは、再生対象とする記録媒体１００上の位置に磁気再生ヘッド部２００を移動させる駆動部であり、具体的には、キャリッジアーム１０１は、磁気再生ヘッド部２００を保持し、アクチュエータ１０２が、キャリッジアーム１０１に保持された磁気再生ヘッド部２００を記録媒体１００の半径方向に駆動させることで、記録媒体１００上の任意の位置に磁気再生ヘッド部２００を移動させる。また、ＨＤＩＣ（Head  Integral  Circuit）１０３は、磁気再生ヘッド部２００にて検出される出力値を増幅し、後述するＭＣＵ３００にて出力値が検出しやすいようにする。
【００２３】
磁気再生ヘッド部２００は、記録媒体１００に記録されたビット情報に応じて所定の出力値が検出される磁気再生ヘッド２１０を複数有する。例えば、図３の（１）に示すように、磁気再生ヘッド部２００は、磁気再生ヘッド２１０を一つのみ有するのではなく、図３の（２）に示すように、一つの磁気再生ヘッド２１０を二つに分割することで、磁気再生ヘッド「Ａ」と磁気再生ヘッド「Ｂ」とを有する。なお、図３は、実施例１における磁気再生ヘッド部の概略を説明するための図である。
【００２４】
なお、磁気再生ヘッド部２００を製造する工程については、後述するため、説明を省略する。また、以下では、特に言及しない限り、磁気再生ヘッド部２００が二つの磁気再生ヘッド２１０を有する場合を例に説明する。なお、本発明はこれに限定されるものではなく、磁気再生ヘッド部２００は、３つ以上の磁気再生ヘッド２１０を有しても良い。
【００２５】
さて、次に、図４を用いて、磁気再生ヘッド部２００の構造について説明する。なお、図４は、実施例１における磁気再生ヘッド部の構造の一例を説明するための図である。
【００２６】
図４に示すように、磁気再生ヘッド部２００は、二つの磁気再生ヘッド２１０を有し、図４に示す例では、磁気再生ヘッド「Ａ」と磁気再生ヘッド「Ｂ」とを有する。また、磁気再生ヘッド２１０各々の間には、非磁性層が設けられる。また、磁気再生ヘッド２１０は、磁気抵抗効果を利用する再生ヘッドであり、図４に示す例では、磁気再生ヘッド２１０各々が、Ｐｉｎｎｅｄ層とＦｒｅｅ層とを有する。
【００２７】
図４に示す例では、磁気再生ヘッド部２００は、磁気再生ヘッド「Ａ」と「Ｂ」とが、非磁性層４０４を間に挟んで積層される。また、磁気再生ヘッド「Ａ」は、Ｐｉｎｎｅｄ層４０１と非磁性層４０２とＦｒｅｅ層４０３とが順に積層されて形成され、磁気再生ヘッド「Ｂ」が、Ｐｉｎｎｅｄ層４０５と非磁性層４０６とＦｒｅｅ層４０７とが順に積層されて形成される。つまり、磁気再生ヘッド部２００は、Ｐｉｎｎｅｄ層４０１と、非磁性層４０２と、Ｆｒｅｅ層４０３と、非磁性層４０４と、Ｐｉｎｎｅｄ層４０５と、非磁性層４０６と、Ｆｒｅｅ層４０７とが順に積層されて形成される。
【００２８】
ここで、各層の性質について簡単に説明する。Ｐｉｎｎｅｄ層は、磁界の向きが固定されており、外部の磁界による影響を受けない。具体的には、Ｐｉｎｎｅｄ層は、記録媒体１００のビット情報が「１」であろうと「−１」であろうと、つまり、Ｐｉｎｎｅｄ層の下の磁界の向きが「Ｎ極」であろうと「Ｓ極」であろうと、予め固定された磁界の向きに変更が生じない。
【００２９】
また、Ｆｒｅｅ層は、磁界の向きが固定されておらず、外部の磁界によって磁界の向きが変化する。具体的には、実施例１におけるＦｒｅｅ層は、対になるＰｉｎｎｅｄ層の磁界の向きと、Ｆｒｅｅ層の下の記録媒体１００の磁界の向きによって、磁界の向きが変化する。なお、対になるＰｉｎｎｅｄ層とは、例えば、磁気再生ヘッド「Ａ」の一部であるＦｒｅｅ層４０３である場合には、磁気再生ヘッド「Ａ」の一部であるＰｉｎｎｅｄ層４０１が該当する。つまり、例えば、磁気再生ヘッド「Ａ」のＦｒｅｅ層４０３は、対になるＰｉｎｎｅｄ層４０１の磁界の向きによる影響と、Ｆｒｅｅ層４０３の下にある記録媒体１００の磁界の向きによる影響とを受ける。
【００３０】
なお、ここで、Ｆｒｅｅ層４０３やＦｒｅｅ層４０７の磁化容易軸は、対になるＰｉｎｎｅｄ層の磁界の向きになる。なお、磁化容易軸とは、向きやすい磁界の向きを示す。つまり、例えば、Ｆｒｅｅ層４０３は、対になるＰｉｎｎｅｄ層４０１以外に何も磁界がなければ、Ｐｉｎｎｅｄ層４０１と同じ磁界の向きを示すことになる。
【００３１】
また、Ｆｒｅｅ層の電気抵抗は、Ｆｒｅｅ層の磁界の向きが変化すると、磁気抵抗効果により変化する。Ｆｒｅｅ層は、記録媒体１００の磁界の向きによる影響により、磁界の向きに変化が生じ、Ｆｒｅｅ層の磁界の向きが変化する方向は、記録媒体１００の磁界の向きが「Ｎ極」か「Ｓ極」かによって異なる。この結果、Ｆｒｅｅ層の電気抵抗は、記録媒体１００の磁界の向きが「Ｎ極」か「Ｓ極」かによって、つまり、ビット情報の違いによって、異なる電気抵抗に変化する。
【００３２】
ここで、実施例１に係る磁気ディスク装置は、磁気再生ヘッド２１０のＦｒｅｅ層の電気抵抗が、記録媒体１００の磁界の向きに応じて異なることを用いて、記録媒体１００に記録されたビット情報を再生するものである。
【００３３】
例えば、実施例１に係る磁気ディスク装置は、磁気再生ヘッド部２００にて検出される出力値として電圧値を用いて、ビット情報を再生する。磁気再生ヘッド「Ａ」のＦｒｅｅ層４０３や磁気再生ヘッド「Ｂ」のＦｒｅｅ層４０７に流す電流の大きさを固定すると、Ｆｒｅｅ層４０３やＦｒｅｅ層４０７の電気抵抗がビット情報の違いによって変化することにより、電圧値も変化する。つまり、実施例１に係る磁気ディスク装置は、ビット情報の違いによって変化する電圧値を用いて、ビット情報を再生する。
【００３４】
図４に示す例を用いて具体的に説明すると、磁気再生ヘッド部２００では、磁気再生ヘッド「Ａ」のＦｒｅｅ層４０３と、磁気再生ヘッド「Ｂ」のＦｒｅｅ層４０７とが、所定の定電流が流れる配線５００によって直列に接続されている。また、図４に示す例では、Ｆｒｅｅ層４０３からＦｒｅｅ層４０７へと電流が流れている。ここで、磁気再生ヘッド部２００では、磁気再生ヘッド「Ａ」のＦｒｅｅ層４０３での出力値と、磁気再生ヘッド「Ｂ」のＦｒｅｅ層４０７での出力値とを区別することなく、二つの出力値を合計した出力値和のみが検出される。そして、後述する再生部３０２によって、ビット情報が再生される。
【００３５】
すなわち、図５に示すように、磁気再生ヘッド「Ａ」と磁気再生ヘッド「Ｂ」とが直列に接続されているのと同様である。なお、図５は、実施例１における磁気再生ヘッド各々の接続関係について説明するための図である。この結果、磁気再生ヘッド「Ａ」の出力値が「Ｖｐ（φ）」であり、磁気再生ヘッド「Ｂ」の出力値が「Ｖｐ（ξ）」である場合には、出力値和「Ｖ（ｔ）」は、「Ｖｐ（φ）」と「Ｖｐ（ξ）」とを合計した値になる。
【００３６】
磁気再生ヘッド部２００の説明に戻る。磁気再生ヘッド部２００は、出力値和が、各磁気再生ヘッド２１０の検出対象となるビット情報の組み合わせパターンごとに異なる値となるように予め形成される。
【００３７】
例えば、磁気再生ヘッド部２００は、二つの磁気再生ヘッド２１０を有するので、ビット情報の組み合わせパターンが４種類ある。このため、磁気再生ヘッド部２００は、４種類ある組み合わせパターンごとに、異なる出力値が検出されるように予め形成される。
【００３８】
また、複数の磁気再生ヘッド２１０各々は、ビット情報の組み合わせパターンごとに出力値和が異なる値となるように、電気抵抗や磁化容易軸が調整される。ここで、電気抵抗は、例えば、Ｆｒｅｅ層の厚さや面積を変えることで変更することができ、また、磁化容易軸の向きは、対になるＰｉｎｎｅｄ層の磁界の向きを変えることで、変更することができる。
【００３９】
例えば、図４に示す磁気再生ヘッド部２００を例に説明する。磁気再生ヘッド「Ａ」のＦｒｅｅ層４０３と、磁気再生ヘッド「Ｂ」のＦｒｅｅ層４０７とは、それぞれ異なる厚さになるように、予め調整される。また、例えば、磁気再生ヘッド「Ａ」のＰｉｎｎｅｄ層４０１の磁界の向きと、磁気再生ヘッド「Ｂ」のＰｉｎｎｅｄ層４０５の磁界の向きとは、それぞれ異なるように予め設定される。図４に示す例では、Ｆｒｅｅ層内に示した矢印に示すように、Ｆｒｅｅ層４０３とＦｒｅｅ層４０７との磁化容易軸の向きは、１８０度異なるように予め調整される。
【００４０】
また、磁化容易軸の向きを１８０度逆にすることによって、製造工程を簡易にすることが可能である。つまり、Ｆｒｅｅ層４０３とＦｒｅｅ層４０７との磁化容易軸の向きを１８０度逆にする場合には、例えば、Ｐｉｎｎｅｄ層に同じ材料を用いる場合には、Ｐｉｎｎｅｄ層の表面と裏面とを入れ替えて積層するだけでよい。なお、Ｆｒｅｅ層４０３とＦｒｅｅ層４０７との磁化容易軸の向きは、１８０度異なる場合に限定されるものではなく、任意の角度異なるようにしてもよい。
【００４１】
また、磁気再生ヘッド部２００は、磁気再生ヘッド２１０をＮ個以上有する場合には、例えば、１８０度をＮ分割し、各磁気再生ヘッド２１０の磁化容易軸の向きを決定しても良い。なお、ここで、Ｎ個とは、３つ以上を示すものとする。例えば、Ｎが３である場合には、３つの磁気再生ヘッド２１０の磁化容易軸の向きが、それぞれ、「０度」、「１２０度」「１８０度」を向くようにしても良い。
【００４２】
また、ビット情報の組み合わせパターンごとに、磁気再生ヘッド部２００にて検出される出力値和が異なる値になればよく、出力値和が異なる値になりさえすれば、磁気再生ヘッド２１０各々をどのように調整してもよい。
【００４３】
図６を用いて、ビット情報の組み合わせパターンごとに出力値和が異なるように調整する点について説明する。なお、図６は、実施例１におけるビット情報の組み合わせパターンごとに出力値和が異なるように調整する点について説明するための図である。図６では、矢印の向きは、磁気再生ヘッド２１０のＦｒｅｅ層の磁界の向きを示す。
【００４４】
図６に示す例では、磁気再生ヘッド「Ａ」と磁気再生ヘッド「Ｂ」との磁化容易軸の向きが、互いに１８０度異なる場合を例に示した。つまり、図６に示す例では、磁気再生ヘッド「Ａ」のＦｒｅｅ層４０３の磁界の向きを示す矢印「Ａ」と、磁気再生ヘッド「Ｂ」のＦｒｅｅ層４０７の磁界の向きを示す矢印「Ｂ」とが、１８０度異なることになる。また、磁気再生ヘッド「Ａ」の電気抵抗と、磁気再生ヘッド「Ｂ」の電気抵抗とが異なる値に予め設定されているので、矢印「Ａ」と矢印「Ｂ」との長さが異なるように示した。
【００４５】
また、図６に示す例では、矢印「Ａ’」や矢印「Ｂ’」は、ビット情報「１」による影響を受けた場合における磁界の向きを示し、矢印「Ａ’ ’」や矢印「Ｂ’ ’」は、ビット情報「−１」による影響を受けた場合における磁界の向きを示す。また、図６には、ビット情報による影響を受けた矢印各々の組み合わせパターンそれぞれを示す矢印「Ａ’＋Ｂ’」や「Ａ’ ’＋Ｂ’」、「Ａ’＋Ｂ’’」、「Ａ’’＋Ｂ’’」も併せて示した。
【００４６】
なお、矢印「Ａ」と矢印「Ｂ」とは、磁化容易軸の向きが逆方向であり、矢印「Ａ’」や矢印「Ｂ’」に示すように、ビット情報が同じである場合には、矢印「Ａ」や矢印「Ｂ」に直交する直交軸上における反対側にずれることになる。
【００４７】
また、図６に示す例では、直交軸上の距離が、出力値に対応するものとして説明する。例えば、磁気再生ヘッド「Ａ」がビット情報「１」の上にある場合には、矢印「Ａ」は矢印「Ａ’」にずれる。矢印の示す点は、「Ｖｐ（０）」から、「Ｖｐ（θ）」に移動する。ここで、磁気再生ヘッド「Ａ」からは、「Ｖｐ（θ）」の直交軸上における距離に対応する出力値が検出される。
【００４８】
すなわち、図６では、組み合わせパターンごとの出力値和は、矢印「Ａ’＋Ｂ’」や「Ａ’ ’＋Ｂ’」、「Ａ’＋Ｂ’’」、「Ａ’’＋Ｂ’’」の直交軸上の距離各々に対応する値になる。
【００４９】
図６に示すように、組み合わせパターン各々を示す矢印は、どれも異なり、また、直交軸上の距離も異なることがわかる。つまり、図６に示す例では、組み合わせパターンごとに出力値和が異なっていることがわかる。
【００５０】
ここで、例えば、磁気再生ヘッド「Ａ」と「Ｂ」とについて、電気抵抗が同一であり、磁化容易軸の向きが同一である場合について考える。説明の便宜上、ビット情報「１」である場合には、出力値「１００」が得られ、ビット情報「１」である場合には、出力値「−１００」が得られるものとして説明する。ここで、ビット情報の組み合わせパターンが「１、１」である場合には、出力値和「２００」になり、また、ビット情報の組み合わせパターンが「−１、−１」である場合には、出力値和「−２００」になり、判別することができる。しかし、ビット情報の組み合わせパターンが「１、−１」や「−１、１」である場合には、出力値和が共に「０」になり、判別することができない。つまり、組み合わせパターンすべてについて、出力値和を用いて判別できない。
【００５１】
同様に、磁気再生ヘッド「Ａ」と「Ｂ」とについて、電気抵抗が同一であり、磁化容易軸の向きが１８０度反対である場合について考える。また、説明の便宜上、磁気再生ヘッド「Ａ」については、ビット情報「１」である場合には、出力値「１００」が得られ、ビット情報「１」である場合には、出力値「−１００」が得られるものとして説明する。なお、磁気再生ヘッド「Ｂ」については、得られる出力値の符号が逆になる。ここで、ビット情報の組み合わせパターンが「１、−１」である場合には、出力値和「２００」になり、また、ビット情報の組み合わせパターンが「−１、１」である場合には、出力値和「−２００」になり、判別することができる。しかし、ビット情報の組み合わせパターンが「１、１」や「−１、−１」である場合には、出力値和が共に「０」になり、判別することができない。つまり、組み合わせパターンすべてについて、出力値和を用いて判別できない。
【００５２】
これに対して、磁気再生ヘッド部２００では、磁気再生ヘッド「Ａ」と「Ｂ」とについて、電気抵抗が異なる結果、ビット情報の組み合わせパターンの内、出力値和が同一になる組み合わせがなくなり、出力値和を用いてすべての組み合わせパターンを判別できる。
【００５３】
なお、以下では、磁気再生ヘッド部２００は、組み合わせパターンごとに、次に示す出力値和が検出されるように、予め形成されたものとして説明する。つまり、磁気再生ヘッド部２００は、組み合わせパターンが「１、−１」である場合には出力値和「１５０」が検出され、「１、１」である場合には出力値和「５０」が検出される。また、磁気再生ヘッド部２００は、「−１、−１」である場合には出力値和「−５０」が検出され、「−１、１」である場合には出力値和「−１５０」が検出される。
【００５４】
次に、図２に戻って、ＭＣＵ（Micro  Controller  Unit）３００について説明する。ＭＣＵ３００は、記憶部３０１と、再生部３０２とを有する。
【００５５】
図７に示すように、記憶部３０１は、組み合わせパターンごとに、磁気再生ヘッド部２００から検出されるべき出力値和を予め記憶する。例えば、記憶部３０１は、組み合わせパターンごとに、つまり、「トラック１」や「トラック２」のビット情報の組み合わせごとに、出力値和を記憶する。なお、図７は、実施例１における再生対象となるトラック各々のビット情報を説明するための図である。
【００５６】
図７に示す例では、記憶部３０１は、「トラック１」のビット情報が「１」であり、「トラック２」のビット情報が「−１」である場合には、つまり、組み合わせパターン「１、−１」に対応付けて、出力値和「１５０」を記憶する。
【００５７】
再生部３０２は、磁気再生ヘッド部２００にて検出される出力値和を検索キーとして記憶部３０１を検索し、出力値和に対応付けて記憶されたビット情報の組み合わせパターンを、記録媒体１００に記録されたビット情報として再生する。
【００５８】
例えば、再生部３０２は、磁気再生ヘッド部２００にて出力値和「１５０」が検出されると、出力値和「１５０」を検索キーとして記憶部３０１を検索する。ここで、図７に示すように、記憶部３０１は、出力値和「１５０」に対応付けて、組み合わせパターン「１、−１」を記憶している。この結果、再生部３０２は、トラック１のビット情報が「１」であり、トラック２のビット情報が「−１」であると再生する。
【００５９】
ここで、図８〜図１０を用いて、磁気再生ヘッド部２００から検出される出力値和についてさらに説明する。なお、図８〜図１０は、実施例１における磁気再生ヘッド部から出力される出力値和を説明するための図である。
【００６０】
まず、図８に示すように、「トラック１」のビット情報が、端から順に、「１（Ｎ極に磁化）」、「−１（Ｓ極に磁化）」、「１」、「１」、「−１」、「１」、「−１」、「１」、である場合を例に説明する。また、「トラック２」のビット情報が、端から順に、「−１」、「−１」、「１」、「１」、「−１」、「−１」、「１」、「−１」である場合を例に説明する。なお、図８の組み合わせパターンごとに示した四種類の「○」は、それぞれ図６に示した出力値和各々を示す「○」に対応する。
【００６１】
そして、図８に示すようなビット情報を記憶する記録媒体１００を再生すると、図９や図１０に示すような出力値和が検出される。例えば、図８に示すように、組み合わせパターン「１、−１」であり、磁気再生ヘッド部２００からは、図９の「ｔ＝１」や図１０の矢印にて特定されるライン上の「ｔ＝１」に示すように、出力値和「１５０」が検出される。そして、次は、組み合わせパターン「−１、−１」であり、磁気再生ヘッド部２００からは、「−５０Ｖ」が検出されることになる。その後、図９に示すように、磁気再生ヘッド部２００からは、「５０Ｖ」、「５０Ｖ」、「−５０Ｖ」、「１５０Ｖ」、「−１５０Ｖ」、「１５０Ｖ」が順に検出されることになる。なお、図１０では、矢印にて特定される範囲内に示される出力値和各々が該当する。
【００６２】
［磁気再生ヘッド部の製造工程］
次に、図１１を用いて、実施例１における磁気再生ヘッド部２００の製造工程を説明する。なお、図１１は、実施例１における磁気再生ヘッド部の製造工程を説明するためのフローチャートである。
【００６３】
なお、ここで、製造装置は、組み合わせパターン毎に出力値和が異なるように、Ｆｒｅｅ層の面積や厚さを予め決定し、また、Ｐｉｎｎｅｄ層の磁界の向きを予め決定し、その上で磁気再生ヘッド部２００の製造を開始する。なお、本発明はこれに限定されるものではなく、製造途中に出力値和を適宜検出し、組み合わせパターンごとに出力値和が異なるようにしてもよい。
【００６４】
図１１に示すように、製造装置は、磁気再生ヘッド部２００を製造開始するタイミングとなると、例えば、製造装置が利用者によって操作されて製造開始する旨の指示が入力されると（ステップＳ１０１肯定）、Ｐｉｎｎｅｄ層４０１上に非磁性層４０２を形成する（ステップＳ１０２）。
【００６５】
そして、製造装置は、非磁性層４０２上にＦｒｅｅ層４０３を形成し（ステップＳ１０３）、Ｆｒｅｅ層４０３上に非磁性層４０４を形成し（ステップＳ１０４）、非磁性層４０４上にＰｉｎｎｅｄ層４０５を形成する（ステップＳ１０５）。そして、製造装置は、Ｐｉｎｎｅｄ層４０５上に非磁性層４０６を形成し（ステップＳ１０６）、非磁性層４０６上にＦｒｅｅ層４０７を形成する（ステップＳ１０７）。
【００６６】
また、ここで、製造装置は、上記したステップＳ１０３にて形成するＦｒｅｅ層４０３と、上記したステップＳ１０７にて形成するＦｒｅｅ層３０７とについて、厚さや面積が異なるように形成する。また、製造装置は、上記したステップＳ１０２にて形成されているＰｉｎｎｅｄ層４０１と、上記したステップＳ１０５にて形成されるＰｉｎｎｅｄ層４０５とについて、磁化容易軸の向きが互いに反対方向を向くように、つまり、互いの磁化容易軸の向きが１８０度異なるように形成する。
【００６７】
この結果、組み合わせパターンごとに出力値和が異なる磁気再生ヘッド部が製造される。
【００６８】
なお、磁気再生ヘッド部を製造する流れは、図１１に示す流れに限定されるものではない。例えば、複数ある磁気再生ヘッド２１０それぞれを別個に形成し、その上で、磁気再生ヘッド２１０を非磁性層を間に挟んで形成しても良い。
【００６９】
［実施例１の効果］
上記したように、実施例１によれば、磁気再生ヘッド部２００は、磁気再生ヘッド２１０を複数有し、出力値和がビット情報の組み合わせパターンごとに異なる値となるように予め形成される。そして、記憶部３０１は、ビット情報の組み合わせパターンごとに、磁気再生ヘッド部２００から検出されるべき出力値和を予め記憶する。そして、再生部３０２は、磁気再生ヘッド部２００にて検出される出力値和を検索キーとして記憶部３０１を検索し、出力値和に対応付けて記憶されたビット情報の組み合わせパターンを記録媒体１００に記録されたビット情報として再生するので、再生速度を適切に向上可能である。
【００７０】
例えば、実施例１によれば、磁気再生ヘッド２１０が２個あったとしても、出力値和のみを転送することでビット情報を再生できる。この結果、実施例１によれば、磁気再生ヘッド部２００からデータを転送する転送処理負荷を２倍にすることなく、磁気再生ヘッド２１０が１個の場合と同じ転送処理負荷にてビット情報を再生できる。つまり、実施例１によれば、磁気再生ヘッド２１０の数を増やしたとしても、転送処理負荷を増やすことなくビット情報を再生でき、つまり、転送処理負荷を増加させることなく再生速度を向上可能である。
【００７１】
また、例えば記録媒体１００にパターンド媒体が用いられた場合には、磁気再生ヘッド２１０が、順次データドットの上を通過しながらビット情報を再生する。ここで、記録媒体１００の高密度化に伴い、ブロードバンド社会では膨大なデータを高速に再生する必要がある。ここで、複数の磁気再生ヘッドを用いて、各磁気再生ヘッド各々について別個にビット情報を再生する処理を実行する場合には、つまり、個々の磁気再生ヘッドからそれぞれデータをＭＣＵなどに転送し、ビット情報を再生する場合には、様々な課題が発生してしまう。例えば、磁気再生ヘッドの数の増加に伴い、磁気再生ヘッドからの転送レートが増加し、転送レートの増加に伴って、転送されたデータを処理するレートも増加することになる。また、記録媒体１００の回転数を向上すれば、再生速度が向上するが、一方、ヘッドの位置や浮上の精度、電力の消費、ノイズの増加、立ち上がりなど様々な課題が発生する。
【００７２】
ここで、実施例１では、磁気再生ヘッド部２００にて検出された出力値和から、例えば、出力値和の波形から、波形レベルを判定し、記憶部３０１に記憶された情報と比較照合する事で、複数のトラックのビット情報を一度に再生することが可能である。この結果、例えば、転送レートを２倍にすることなく、２倍のデータを再生可能である。
【００７３】
また、実施例１によれば、複数の磁気再生ヘッド２１０各々は、ビット情報の組み合わせパターンごとに出力値和が異なる値となるように、電気抵抗や磁化容易軸が調整される。この結果、磁気再生ヘッド部２００は、再生対象とするセクタのビットの組み合わせごとに異なる出力値和を示すことができ、再生ヘッドからの転送レートを増加させることなく、再生ヘッドの数を増加させて再生速度を向上可能である。
【実施例２】
【００７４】
さて、これまで本発明の実施例について説明したが、本発明は上述した実施例以外にも、その他の実施例にて実施されてもよい。そこで、以下では、その他の実施例について説明する。
【００７５】
［磁気再生ヘッド部の構造］
例えば、実施例１では、図４に示したように、磁気再生ヘッド部２００が、磁気再生ヘッド「Ａ」のＦｒｅｅ層と磁気再生ヘッド「Ｂ」のＰｉｎｎｅｄ層とが、非磁性層を挟んで積層される場合について説明したが、本発明はこれに限定されるものではない。例えば、図１２に示すように、磁気再生ヘッド「Ａ」のＦｒｅｅ層と磁気再生ヘッド「Ｂ」のＦｒｅｅ層とが、非磁性層を挟んで積層されてもよい。つまり、磁気再生ヘッド「Ａ」のＦｒｅｅ層と磁気再生ヘッド「Ｂ」のＦｒｅｅ層とが、非磁性層を挟んで向かい合っていても良い。なお、図１２は、実施例２における磁気再生ヘッドの構造の一例を説明するための図である。
【００７６】
［システム構成］
また、本実施例の文書中や図面中で示した処理手順、制御手順、具体的名称、各種のデータやパラメータを含む情報（例えば、図１〜図１２）については、特記する場合を除いて任意に変更することができる。
【００７７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７８】
例えば、磁気再生ヘッド部２００は、複数の磁気再生ヘッド２１０を同じキャリッジアーム１０１上に保持する場合に限定されるものではなく、また、複数の磁気再生ヘッド２１０がそれぞれ異なる記録媒体１００を再生対象としてもよい。
【符号の説明】
【００７９】
１００  記録媒体
１０１  キャリッジアーム
１０２  アクチュエータ
１０３  ＨＤＩＣ
３００  ＭＣＵ
３０１  記憶部
３０２  再生部
【図１】
2010192048.tif 000003
【図２】
2010192048.tif 000004
【図３】
2010192048.tif 000005
【図４】
2010192048.tif 000006
【図５】
2010192048.tif 000007
【図６】
2010192048.tif 000008
【図７】
2010192048.tif 000009
【図８】
2010192048.tif 000010
【図９】
2010192048.tif 000011
【図１０】
2010192048.tif 000012
【図１１】
2010192048.tif 000013
【図１２】
2010192048.tif 000014